(57)【要約】  フォトポリマフィルムを眼鏡レンズに統合するシステム、装置、及び方法が記載される。レンズを、マイクロディスプレイ又はスキャニングレーザプロジェクタ等の画像ソースを利用するウェアラブルヘッドアップディスプレイにおける透明ホログラフィックコンバイナとして使用できるようにするために、１つ又は複数のホログラムがフォトポリマフィルムの中／上に記録されてもよい。フォトポリマフィルムを眼鏡レンズに統合する方法は、フォトポリマフィルムをレンズ金型の中に位置決めし、レンズをフォトポリマフィルムの周囲に流し込むステップ、フォトポリマフィルムをレンズの２つの部分間に挟むステップ、フォトポリマフィルムをレンズの凹面に付着させるステップ、及び／又は（フォトポリマフィルムが上に載った状態の）平面的キャリアをレンズの凹面の長さをまたぐ２点に固定するステップを含む。これらのプロセスの各々により製造／調整されるそれぞれのレンズも記載されている。
2018528475.tif 000002
【特許請求の範囲】
【請求項１】
ウェアラブルヘッドアップディスプレイで使用するためのレンズの製造方法において、
空洞を有するレンズ金型を提供するステップと、
前記レンズ金型の前記空洞内にフォトポリマフィルムを位置決めするステップと、
前記空洞内にレンズ形成流体を流し込むステップと、
前記レンズ形成流体を前記空洞内で硬化させて、その中に前記フォトポリマフィルムが埋め込まれているレンズを形成するステップと、
を含み、前記レンズは前記空洞と少なくとも略等しい寸法と形状を有する方法。
【請求項２】
前記空洞内に前記レンズ形成流体を流し込むステップの前に、前記フォトポリマフィルムに曲率を付与するステップ
をさらに含む、請求項１に記載の方法。
【請求項３】
前記レンズ金型の前記空洞内に前記フォトポリマフィルムを位置決めするステップ前に、前記フォトポリマフィルムの少なくとも１つの表面に光学接着剤を塗布するステップ
をさらに含む、請求項１に記載の方法。
【請求項４】
前記レンズ金型の前記空洞内に前記フォトポリマフィルムを位置決めするステップの前に、前記フォトポリマフィルムの中にホログラムを記録するステップ
をさらに含み、前記ホログラムは前記レンズの光学的効果を補償する、請求項１に記載の方法。
【請求項５】
前記レンズ形成流体を前記空洞内で硬化させてレンズを形成するステップの後に、前記レンズ内に埋め込まれた前記フォトポリマフィルムの中にホログラムを記録するステップ
をさらに含み、
前記レンズ金型の前記空洞内に前記フォトポリマフィルムを位置決めするステップと、
前記空洞内に前記レンズ形成流体を流し込むステップと、
前記レンズ形成流体を前記空洞内で硬化させて、その中に前記フォトポリマフィルムが埋め込まれているレンズを形成するステップ
はすべて、暗い環境で実行される、請求項１に記載の方法。
【請求項６】
前記レンズ形成流体を前記空洞内で硬化させてレンズを形成するステップの後に、前記レンズに眼鏡処方を適用するステップ
をさらに含む、請求項１に記載の方法。
【請求項７】
前記レンズを５０℃〜１００℃の温度で少なくとも３０分間焼鈍するステップ
をさらに含む、請求項１に記載の方法。
【請求項８】
ウェアラブルヘッドアップディスプレイで使用するためのレンズにおいて、
空洞を有するレンズ金型を提供する行為と、
前記レンズ金型の前記空洞内にフォトポリマフィルムを位置決めする行為と、
前記空洞内にレンズ形成流体を流し込む行為と、
前記レンズ形成流体を前記空洞内で硬化させて、その中に前記フォトポリマフィルムが埋め込まれているレンズを形成する行為と、
を含むプロセスにより製作され、前記レンズは前記空洞と少なくとも略等しい寸法と形状を有するレンズ。
【請求項９】
ウェアラブルヘッドアップディスプレイで使用するためのレンズの製造方法において、
レンズの前側半分を提供するステップと、
前記レンズの後側半分を提供するステップと、
フォトポリマフィルムを提供するステップと、
前記レンズの前記前側半分の表面、前記レンズの前記後側半分の表面、及び前記フォトポリマフィルムの表面からなる群より選択される少なくとも１つの表面に光学接着剤を塗布するステップと、
前記レンズの前記前側半分と前記レンズの前記後側半分との間に前記フォトポリマフィルムを位置決めするステップと、
前記レンズの前記前側半分と前記レンズの前記後側半分をそれらの間に前記フォトポリマフィルムが挟まれた状態で共に圧迫するステップと、
を含む方法。
【請求項１０】
前記レンズの前記前側半分と前記レンズの前記後側半分との間に前記フォトポリマフィルムを位置決めするステップの前に、前記フォトポリマフィルムに曲率を付与するステップ
をさらに含む、請求項９に記載の方法。
【請求項１１】
前記レンズの前記前側半分と前記レンズの前記後側半分との間に前記フォトポリマフィルムを位置決めするステップの前に、前記フォトポリマフィルムの中にホログラムを記録するステップ
をさらに含み、前記ホログラムは、前記レンズの前記前側半分、前記フォトポリマフィルムの曲率、及び／又は前記レンズの前記後側半分のうちの少なくとも１つにより導入される少なくとも１つの光学的効果を補償する、請求項９に記載の方法。
【請求項１２】
前記レンズの前記前側半分と前記レンズの前記後側半分をそれらの間に前記フォトポリマフィルムが挟まれた状態で共に圧迫するステップの後に、前記フォトポリマフィルムの中にホログラムを記録するステップ
をさらに含み、
前記レンズの前記前側半分の表面、前記レンズの前記後側半分の表面、及び前記フォトポリマフィルムの表面からなる群より選択される少なくとも１つの表面に光学接着剤を塗布するステップと、
前記レンズの前記前側半分と前記レンズの前記後側半分との間に前記フォトポリマフィルムを位置決めするステップと、
前記レンズの前記前側半分と前記レンズの前記後側半分をそれらの間に前記フォトポリマフィルムが挟まれた状態で共に圧迫するステップ
はすべて、暗い環境で実行される、請求項９に記載の方法。
【請求項１３】
前記レンズの前記前側半分と前記レンズの前記後側半分をそれらの間に前記フォトポリマフィルムが挟まれた状態で共に圧迫するステップの後に、前記レンズの前記前側半分及び／又は前記レンズの前記後側半分のうちの少なくとも一方に眼鏡処方を適用するステップ
をさらに含む、請求項９に記載の方法。
【請求項１４】
ウェアラブルヘッドアップディスプレイで使用するためのレンズにおいて、
レンズの前側半分を提供する行為と、
前記レンズの後側半分を提供する行為と、
フォトポリマフィルムを提供する行為と、
前記レンズの前記前側半分の表面、前記レンズの前記後側半分の表面、及び前記フォトポリマフィルムの表面からなる群より選択される少なくとも１つの表面に光学接着剤を塗布する行為と、
前記レンズの前記前側半分と前記レンズの前記後側半分との間に前記フォトポリマフィルムを位置決めする行為と、
前記レンズの前記前側半分と前記レンズの前記後側半分をそれらの間に前記フォトポリマフィルムが挟まれた状態で共に圧迫する行為と、
を含むプロセスにより製作されるレンズ。
【請求項１５】
レンズをウェアラブルヘッドアップディスプレイで使用するように適合させる方法において、
凹面を有するレンズを提供するステップと、
前記レンズの凹面にフォトポリマフィルムを付着させるステップと、
を含み、前記フォトポリマフィルムは前記レンズの前記凹面の曲率と少なくとも略等しい凹形曲率をとる方法。
【請求項１６】
フォトポリマフィルムを前記レンズの前記凹面に付着させるステップは、
前記フォトポリマフィルムを提供するステップと、
前記レンズの前記凹面と前記フォトポリマフィルムの表面からなる群より選択される少なくとも１つの表面に光学接着剤を塗布するステップと、
前記レンズの前記凹面と前記フォトポリマフィルムの前記表面を共に圧迫するステップと、
前記光学接着剤を硬化させるステップと、
を含む、請求項１５に記載の方法。
【請求項１７】
前記レンズの前記凹面と前記フォトポリマフィルムの前記表面を共に圧迫するステップは、前記フォトポリマフィルムを摂氏約８０度未満の温度まで温めるステップを含む、請求項１６に記載の方法。
【請求項１８】
前記レンズの前記凹面に前記フォトポリマフィルムを付着させるステップは、
キャリアの表面に前記フォトポリマフィルムを付着させるステップと、
前記キャリアを湾曲させて、前記レンズの前記凹面と少なくとも略一致する凹形曲率を提供するステップと、
前記レンズの前記凹面、前記フォトポリマフィルムの表面、及び前記キャリアの表面からなる群より選択される少なくとも１つの表面に光学接着剤を塗布するステップと、
前記レンズの前記凹面と前記キャリアを、その上に前記フォトポリマフィルムが載った状態で共に圧迫して、前記光学接着剤を挟むステップと、
前記光学接着剤を硬化させるステップと、
を含む、請求項１５に記載の方法。
【請求項１９】
前記キャリアを、前記フォトポリマフィルムがその上に載った状態で湾曲させるステップは、
前記フォトポリマフィルムを摂氏約８０度未満の温度まで温めるステップと、
前記キャリアを、前記フォトポリマフィルムがその上に載った状態にて湾曲面上で圧迫するステップと、
を含み、前記湾曲面は前記レンズの前記凹面と少なくとも略一致するか、又は勘合する曲率を有する、請求項１８に記載の方法。
【請求項２０】
前記キャリアを取り除くステップ
をさらに含む、請求項１８に記載の方法。
【請求項２１】
前記レンズの前記凹面に前記フォトポリマフィルムを付着させるステップは、スピンコーティング、ディップコーティング、及び真空蒸着からなる群より選択される少なくとも１つの薄膜堆積法により前記レンズの前記凹面に前記フォトポリマフィルムを直接堆積させるステップを含む、請求項１５に記載の方法。
【請求項２２】
前記レンズの前記凹面に前記フォトポリマフィルムを付着させるステップの前に、前記レンズに眼鏡処方を適用するステップ
をさらに含む、請求項１５に記載の方法。
【請求項２３】
前記レンズの前記凹面に前記フォトポリマフィルムを付着させるステップの前に、前記フォトポリマフィルムの中にホログラムを記録するステップ
をさらに含み、前記ホログラムは前記レンズの光学的効果を補償する、請求項１５に記載の方法。
【請求項２４】
前記レンズの前記凹面に前記フォトポリマフィルムを付着させるステップの後に、前記フォトポリマフィルムの中にホログラムを記録するステップ
をさらに含み、
前記レンズの前記凹面にフォトポリマフィルムを付着させるステップは暗い環境で実行される、請求項１５に記載の方法。
【請求項２５】
ウェアラブルヘッドアップディスプレイで使用するためのレンズにおいて、
凹面を有するレンズを提供する行為と、
前記レンズの前記凹面にフォトポリマフィルムを付着させる行為と、
を含むプロセスにより適合され、前記フォトポリマフィルムは前記レンズの前記凹面の曲率と少なくとも略等しい凹形曲率をとるレンズ。
【請求項２６】
レンズをウェアラブルヘッドアップディスプレイで使用するように適合させる方法において、
凹面を有するレンズを提供するステップと、
平面キャリアにフォトポリマフィルムを付着させるステップであって、前記平面キャリアは光学的に透明であるようなステップと、
前記平面キャリアの少なくとも２点を前記レンズの前記凹面上の少なくとも２つのそれぞれの点に固定するステップと、
を含み、前記平面キャリアの少なくとも２点は、前記平面キャリアの長さの少なくとも一部の両端にある方法。
【請求項２７】
前記平面キャリアの少なくとも２点を前記レンズの前記凹面上の少なくとも２つのそれぞれの点に固定するステップは、前記レンズの前記凹面と前記平面キャリアとの間に空洞を画定し、前記平面キャリアの少なくとも２点を前記レンズの前記凹面上の少なくとも２つのそれぞれの点に固定するステップは、前記平面キャリアの少なくとも２点を前記レンズの前記凹面上の少なくとも２つのそれぞれの点に光学接着剤を使って接着するステップを含む、請求項２６に記載の方法。
【請求項２８】
前記平面キャリアの前記少なくとも２点を前記レンズの前記凹面上の前記少なくとも２つのそれぞれの点に固定するステップの前に、前記レンズに眼鏡処方を適用するステップ
をさらに含む、請求項２６に記載の方法。
【請求項２９】
前記平面キャリアの前記少なくとも２点を前記レンズの前記凹面上の前記少なくとも２つのそれぞれの点に固定するステップの前に、前記フォトポリマフィルムの中にホログラムを記録するステップ
をさらに含み、前記ホログラムは前記レンズの光学的効果及び／又は前記フォトポリマフィルムの曲率のうちの少なくとも一方を補償する、請求項２６に記載の方法。
【請求項３０】
前記平面キャリアの前記少なくとも２点を前記レンズの前記凹面上の前記少なくとも２つのそれぞれの点に固定するステップの後に、前記フォトポリマフィルムの中にホログラムを記録するステップ
をさらに含み、
前記平面キャリアに前記フォトポリマフィルムを付着させるステップと、
前記平面キャリアの少なくとも２点を前記レンズの前記凹面上の少なくとも２つのそれぞれの点に固定するステップ
はどちらも暗い環境で実行される、請求項２６に記載の方法。
【請求項３１】
前記レンズの前記凹面に陥凹部を形成するステップと、
前記陥凹部の中に、前記平面キャリアを前記フォトポリマフィルムがそこに付着された状態で位置決めするステップと、
をさらに含み、前記平面キャリアの少なくとも２点を前記レンズの前記凹面上の少なくとも２つのそれぞれの点に固定するステップは、前記レンズの前記凹面の前記陥凹部の中に前記平面キャリアを固定するステップを含む、請求項２６に記載の方法。
【請求項３２】
ウェアラブルヘッドアップディスプレイで使用するためのレンズにおいて、
凹面を有するレンズを提供する行為と、
平面キャリアにフォトポリマフィルムを付着させる行為であって、前記平面キャリアは光学的に透明であるような行為と、
前記平面キャリアの少なくとも２点を前記レンズの前記凹面上の少なくとも２つのそれぞれの点に固定する行為と、
を含むプロセスにより適合されており、前記平面キャリアの前記少なくとも２点は前記平面キャリアの長さの少なくとも一部の両端にあるレンズ。
【発明の詳細な説明】
【技術分野】
【０００１】
本システム、製品、及び方法は一般に、ホログラフィック眼鏡レンズに関し、特に、ウェアラブルヘッドアップディスプレイの中のホログラフィック光学素子として使用するために、フォトポリマフィルムを眼鏡レンズに統合することに関する。
【背景技術】
【０００２】
ウェアラブルヘッドアップディスプレイ
頭部装着型ディスプレイは、使用者の頭部に装着され、そのように装着されたときに、使用者の頭部の位置又は向きに関係なく、少なくとも１つの電子ディスプレイをその使用者の少なくとも一方の眼の可視領域内に固定する電子機器である。ウェアラブルヘッドアップディスプレイは、使用者が表示されたコンテンツを見えるようにするだけでなく、使用者がその外部環境を見ることを妨げないようにする頭部装着型ディスプレイである。ウェアラブルヘッドアップディスプレイの「表示」コンポーネントは、透明であるか、又は使用者の視野の周辺にあり、使用者がその外部環境を見るのを完全に妨げないようになっている。ウェアラブルヘッドアップディスプレイの例としては、数個の名前を挙げれば、Ｇｏｏｇｌｅ  Ｇｌａｓｓ（登録商標）、Ｏｐｔｉｎｖｅｎｔ  Ｏｒａ（登録商標）、Ｅｐｓｏｎ  Ｍｏｖｅｒｉｏ（登録商標）、及びＳｏｎｙ  Ｇｌａｓｓｔｒｏｎ（登録商標）が含まれる。
【０００３】
ほとんどのウェアラブルヘッドアップディスプレイの設計における課題は、顔面装着型装置の嵩を小さくしながら、表示されたコンテンツを十分な視覚的品質で提供することである。当業界においては、使用者がその外部環境を見る能力を限定することなく、使用者に対して高品質の画像を提供できる、より見た目のよい設計のウェアラブルヘッドアップディスプレイが求められている。
【０００４】
フォトポリマ
フォトポリマは、露光されるとその物性のうちの１つ又は複数を変化させる材料である。この変化は、構造的及び／又は化学的を含め、様々な方法で現れてもよい。フォトポリマ材料は、ホログラフィにおいて、その中又は上にホログラムが記録されるフィルム又は媒質としてよく使用される。例えば、フォトポリマフィルムは、特定の干渉パターンの光で制御可能に露光／照明されてもよく、それによって、フォトポリマフィルム内／上に表面レリーフパターンが形成され、この表面レリーフパターンは、照明光の干渉パターンに適合する。フォトポリマフィルムは、フォトポリマ材料自体のみを含んでいてもよく、又はそれはトリアセテート及び／又はポリアミド及び／又はポリイミド及び／又はポリカーボネート等の基板、及び／又は固定された、もしくは除去可能な保護被覆層のうちの何れか又はすべての上又は間に担持されたフォトポリマを含んでいてもよい。現在、当業界ではフォトポリマフィルムの多くの例が入手可能であり、例えばＤｕＰｏｎｔ  ＨＲＦフォトポリマフィルム、Ｐｏｌｙｇｒａｍａ  Ｉｎｃ．，のＤａｒｏｌ（商標）フォトポリマ、又はＢａｙｅｒ  ＡＧのＢａｙｆｏｌ（登録商標）ＨＸがある。
【０００５】
眼鏡レンズ
典型的な眼鏡又はサングラスは２枚のレンズを含み、レンズのそれぞれ１つが、その眼鏡／サングラスが使用者の頭部に装着されたときに使用者の各眼の正面に位置付けられる。いくつかの代替的設計において、２枚の別々のレンズの代わりに１枚の長いレンズが使用されてもよく、１枚の長いレンズは、眼鏡／サングラスが使用者の頭部に装着されたときに、使用者の両眼の正面に広がる。眼鏡のレンズは典型的に無色で、光学的に透明であるが、サングラスのレンズは典型的に、そこを通過する光を部分的に減衰させるような何らかの方法で着色又は色付けされている。しかしながら、本明細書の残りの部分と付属の特許請求の範囲全体を通じて、「眼鏡」及び「サングラス」という用語は、具体的な文脈から他の解釈が必要な場合を除き、実質的に互換的に使用される。
【０００６】
眼鏡レンズは、ガラス、又はポリカーボネート、ＣＲ−３９、Ｈｉｖｅｘ（登録商標）、もしくはＴｒｉｖｅｘ（登録商標）等の非ガラス（例えばプラスチック）材料で形成されてもよい。眼鏡レンズは、光を基本的に何もせずに透過させるか、又はそこを通過する画像に全体的機能（拡大等）を提供する非処方レンズであってもよい。あるいは、眼鏡レンズは、具体的な１つ又は複数の光学機能を透過光に付与することによって使用者の視力の異常を補償する、（通常、使用者ごとの）処方レンズであってもよい。一般に、眼鏡レンズはまず、レンズ（又はレンズ「ブランク」）であり、任意選択により、レンズの外向き面及び／又は内向き面の何れか又は両方の曲率を意図的に形作ることによって処方が適用されてもよい。最も一般的には、レンズの内向き面（すなわち、装用時に使用者の眼に最も近い面）の曲率を形作ることによって処方が適用されるが、これは、それによって眼鏡レンズの外向き面の審美性が、様々な処方の様々な使用者の間で実質的に均一なままにすることができるからである。
【発明の概要】
【課題を解決するための手段】
【０００７】
ウェアラブルヘッドアップディスプレイで使用するためのレンズの製造方法は、空洞を有するレンズ金型を提供するステップと、レンズ金型の空洞内にフォトポリマフィルムを位置決めするステップと、空洞内にレンズ形成流体を流し込むステップと、レンズ形成流体を空洞内で硬化させて、その中にフォトポリマフィルムが埋め込まれているレンズを形成するステップと、を含み、レンズは空洞と少なくとも略等しい寸法と形状を有すると要約されてもよい。方法は、空洞内にレンズ形成流体を流し込むステップの前に、フォトポリマフィルムに曲率を付与するステップをさらに含んでいてもよい。方法は、レンズ金型の空洞内にフォトポリマフィルムを位置決めするステップ前に、フォトポリマフィルムの少なくとも１つの表面に光学接着剤を塗布するステップをさらに含んでいてもよい。方法は、レンズ金型の空洞内にフォトポリマフィルムを位置決めするステップの前に、フォトポリマフィルムの中にホログラムを記録するステップをさらに含んでいてもよく、ホログラムはレンズの光学的効果を補償する。方法は、レンズ形成流体を空洞内で硬化させてレンズを形成するステップの後に、レンズ内に埋め込まれたフォトポリマフィルムの中にホログラムを記録するステップをさらに含んでいてもよく、レンズ金型の空洞内にフォトポリマフィルムを位置決めするステップと、空洞内にレンズ形成流体を流し込むステップと、レンズ形成流体を空洞内で硬化させて、その中にフォトポリマフィルムが埋め込まれているレンズを形成するステップはすべて、暗い環境で実行される。方法は、レンズ形成流体を空洞内で硬化させてレンズを形成するステップの後に、例えば眼鏡処方に従ってレンズブランクから材料を除去及び／又は研磨することにより、レンズに眼鏡処方を適用するステップをさらに含んでいてもよい。方法は、レンズを５０℃〜１００℃の温度で少なくとも３０分間焼鈍するステップをさらに含んでいてもよい。
【０００８】
ウェアラブルヘッドアップディスプレイで使用するためのレンズは、空洞を有するレンズ金型を提供する行為と、レンズ金型の空洞内にフォトポリマフィルムを位置決めする行為と、空洞内にレンズ形成流体を流し込む行為と、レンズ形成流体を空洞内で硬化させて、その中にフォトポリマフィルムが埋め込まれているレンズを形成する行為と、を含むプロセスにより製作され、レンズは空洞と少なくとも略等しい寸法と形状を有すると要約されてもよい。
【０００９】
ウェアラブルヘッドアップディスプレイで使用するためのレンズの製造方法は、レンズの前側半分を提供するステップと、レンズの後側半分を提供するステップと、フォトポリマフィルムを提供するステップと、レンズの前側半分の表面、レンズの後側半分の表面、及びフォトポリマフィルムの表面からなる群より選択される少なくとも１つの表面に光学接着剤を塗布するステップと、レンズの前側半分とレンズの後側半分との間にフォトポリマフィルムを位置決めするステップと、レンズの前側半分とレンズの後側半分をそれらの間にフォトポリマフィルムが挟まれた状態で共に圧迫するステップと、を含むと要約されてもよい。方法は、レンズの前側半分とレンズの後側半分との間にフォトポリマフィルムを位置決めするステップの前に、フォトポリマフィルムに曲率を付与するステップをさらに含んでいてもよい。方法は、レンズの前側半分とレンズの後側半分との間にフォトポリマフィルムを位置決めするステップの前に、フォトポリマフィルムの中にホログラムを記録するステップをさらに含んでいてもよく、ホログラムは、レンズの前側半分、フォトポリマフィルムの曲率、及び／又はレンズの後側半分のうちの少なくとも１つにより導入される少なくとも１つの光学的効果を補償する。方法は、レンズの前側半分とレンズの後側半分をそれらの間にフォトポリマフィルムが挟まれた状態で共に圧迫するステップの後にフォトポリマフィルムの中にホログラムを記録するステップをさらに含んでいてもよく、レンズの前側半分の表面、レンズの後側半分の表面、及びフォトポリマフィルムの表面からなる群より選択される少なくとも１つの表面に光学接着剤を塗布するステップと、レンズの前側半分とレンズの後側半分との間にフォトポリマフィルムを位置決めするステップと、レンズの前側半分とレンズの後側半分をそれらの間にフォトポリマフィルムが挟まれた状態で共に圧迫するステップはすべて、暗い環境で実行される。方法は、レンズの前側半分とレンズの後側半分をそれらの間にフォトポリマフィルムが挟まれた状態で共に圧迫するステップの後に、レンズの前側半分及び／又はレンズの後側半分のうちの少なくとも一方に眼鏡処方を適用するステップをさらに含んでいてもよい。
【００１０】
ウェアラブルヘッドアップディスプレイで使用するためのレンズは、レンズの前側半分を提供する行為と、レンズの後側半分を提供する行為と、フォトポリマフィルムを提供する行為と、レンズの前側半分の表面、レンズの後側半分の表面、及びフォトポリマフィルムの表面からなる群より選択される少なくとも１つの表面に光学接着剤を塗布する行為と、レンズの前側半分とレンズの後側半分との間にフォトポリマフィルムを位置決めする行為と、レンズの前側半分とレンズの後側半分をそれらの間にフォトポリマフィルムが挟まれた状態で共に圧迫する行為を含むプロセスにより製作されていると要約されてもよい。
【００１１】
レンズをウェアラブルヘッドアップディスプレイで使用するように適合させる方法は、凹面を有するレンズを提供するステップと、レンズの凹面にフォトポリマフィルムを付着させるステップと、を含み、フォトポリマフィルムはレンズの凹面の曲率と少なくとも略等しい凹形曲率をとると要約されてもよい。フォトポリマフィルムをレンズの凹面に付着させるステップは、フォトポリマフィルムを提供するステップと、レンズの凹面とフォトポリマフィルムの表面からなる群より選択される少なくとも１つの表面に光学接着剤を塗布するステップと、レンズの凹面とフォトポリマフィルムの表面を共に圧迫するステップと、光学接着剤を硬化させるステップと、を含んでいてもよい。レンズの凹面とフォトポリマフィルムの表面を共に圧迫するステップは、フォトポリマフィルムを摂氏約８０度未満の温度まで温めるステップを含んでいてもよい。
【００１２】
レンズの凹面にフォトポリマフィルムを付着させるステップは、キャリアの表面にフォトポリマフィルムを付着させるステップと、キャリアを湾曲させて、レンズの凹面と少なくとも略一致する凹形曲率を提供するステップと、レンズの凹面、フォトポリマフィルムの表面、及びキャリアの表面からなる群より選択される少なくとも１つの表面に光学接着剤を塗布するステップと、レンズの凹面とキャリアを、その上にフォトポリマフィルムが載った状態で共に圧迫して、光学接着剤を挟むステップと、光学接着剤を硬化させるステップと、を含んでいてもよい。キャリアを、フォトポリマフィルムがその上に載った状態で湾曲させるステップは、フォトポリマフィルムを摂氏約８０度未満の温度まで温めるステップと、キャリアを、フォトポリマフィルムがその上に載った状態にて湾曲面上で圧迫するステップと、を含んでいてもよく、湾曲面はレンズの凹面と少なくとも略一致するか、又は勘合する曲率を有する。方法は、キャリアを取り除くステップをさらに含んでいてもよい。
【００１３】
レンズの凹面にフォトポリマフィルムを付着させるステップは、スピンコーティング、ディップコーティング、及び真空蒸着からなる群より選択される少なくとも１つの薄膜堆積法によりレンズの凹面にフォトポリマフィルムを直接堆積させるステップを含んでいてもよい。方法は、レンズの凹面にフォトポリマフィルムを付着させるステップの前に、レンズに眼鏡処方を適用するステップをさらに含んでいてもよい。方法は、レンズの凹面にフォトポリマフィルムを付着させるステップの前に、フォトポリマフィルムの中にホログラムを記録するステップをさらに含んでいてもよく、ホログラムはレンズの光学的効果を補償する。方法は、レンズの凹面にフォトポリマフィルムを付着させるステップの後に、フォトポリマフィルムの中にホログラムを記録するステップをさらに含んでいてもよく、レンズの凹面にフォトポリマフィルムを付着させるステップは暗い環境で実行される。
【００１４】
ウェアラブルヘッドアップディスプレイで使用するためのレンズは、凹面を有するレンズを提供する行為と、レンズの凹面にフォトポリマフィルムを付着させる行為と、を含むプロセスにより製作され、フォトポリマフィルムはレンズの凹面の曲率と少なくとも略等しい凹形曲率をとると要約されてもよい。
【００１５】
レンズをウェアラブルヘッドアップディスプレイで使用するように適合させる方法は、凹面を有するレンズを提供するステップと、平面キャリアにフォトポリマフィルムを付着させるステップであって、平面キャリアは光学的に透明であるようなステップと、平面キャリアの少なくとも２点をレンズの凹面上の少なくとも２つのそれぞれの点に固定するステップと、を含み、平面キャリアの少なくとも２点は、平面キャリアの長さの少なくとも一部の両端にあると要約されてもよい。平面キャリアの少なくとも２点をレンズの凹面上の少なくとも２つのそれぞれの点に固定するステップは、レンズの凹面と平面キャリアとの間に空洞を画定してもよい。平面キャリアの少なくとも２点をレンズの凹面上の少なくとも２つのそれぞれの点に固定するステップは、平面キャリアの少なくとも２点をレンズの凹面上の少なくとも２つのそれぞれの点に光学接着剤を使って接着するステップを含んでいてもよい。方法は、平面キャリアの少なくとも２点をレンズの凹面上の少なくとも２つのそれぞれの点に固定するステップの前に、レンズに眼鏡処方を適用するステップをさらに含んでいてもよい。方法は、平面キャリアの少なくとも２点をレンズの凹面上の少なくとも２つのそれぞれの点に固定するステップの前に、フォトポリマフィルムの中にホログラムを記録するステップをさらに含んでいてもよく、ホログラムはレンズの及び／又はフォトポリマフィルムの曲率のうちの少なくとも一方の光学的効果を補償する。方法は、平面キャリアの少なくとも２点をレンズの凹面上の少なくとも２つのそれぞれの点に固定するステップの後に、フォトポリマフィルムの中にホログラムを記録するステップをさらに含んでいてもよく、平面キャリアにフォトポリマフィルムを付着させるステップと、平面キャリアの少なくとも２点をレンズの凹面上の少なくとも２つのそれぞれの点に固定するステップはどちらも暗い環境で実行される。
【００１６】
方法は、レンズの凹面に陥凹部を形成するステップと、陥凹部の中に、平面キャリアをフォトポリマフィルムがそこに付着された状態で位置決めするステップと、をさらに含んでいてもよい。この場合、平面キャリアの少なくとも２点をレンズの凹面上の少なくとも２つのそれぞれの点に固定するステップは、レンズの凹面の陥凹部の中に平面キャリアを固定するステップを含んでいてもよい。
【００１７】
ウェアラブルヘッドアップディスプレイで使用するためのレンズは、凹面を有するレンズを提供する行為と、平面キャリアにフォトポリマフィルムを付着させる行為であって、平面キャリアは光学的に透明であるような行為と、平面キャリアの少なくとも２点をレンズの凹面上の少なくとも２つのそれぞれの点に固定する行為と、を含むプロセスにより製作されており、平面キャリアの少なくとも２点は平面キャリアの長さの少なくとも一部の両端にあると要約されてもよい。
【００１８】
図中、同じ参照番号は同様の要素又は行為を示す。図中の要素の大きさ及び相対位置は、必ずしも正確な縮尺によって描かれているとはかぎらない。例えば、各種の要素の形状や角度は、必ずしも正確な縮尺によって描かれているとはかぎらず、これらの要素のいくつかは、図面をよりわかりやすくするために任意で拡大され、位置付けられている。さらに、図に示されている要素の特定の形状は、必ずしもその要素の実際の形状に関する何れかの情報を伝えるように意図されているとはかぎらず、図の中で認識しやすくするためにのみ選択されている。
【図面の簡単な説明】
【００１９】
【図１】本システム、製品、及び方法による、そこにフォトポリマフィルムが統合されている眼鏡レンズを示す斜視図である。
【図２】本システム、製品、及び方法による、ウェアラブルヘッドアップディスプレイで使用するためのレンズの例示的製造方法を示すフロー図である。
【図３】ウェアラブルヘッドアップディスプレイで使用するためのレンズを示す断面図であり、このレンズは図２の方法を実行することにより製造又は製作されている。
【図４】本システム、製品、及び方法による、ウェアラブルヘッドアップディスプレイで使用するためのレンズの例示的製造方法を示すフロー図である。
【図５】ウェアラブルヘッドアップディスプレイで使用するためのレンズを示す断面図であり、このレンズは図４の方法を実行することにより製造又は製作されている。
【図６】本システム、製品、及び方法による、レンズをウェアラブルヘッドアップディスプレイで使用するように適合させる例示的方法を示すフロー図である。
【図７】ウェアラブルヘッドアップディスプレイで使用するように適合されたレンズを示す断面図であり、このレンズは図６の方法を実行することにより適合又は製作されている。
【図８】本システム、製品、及び方法による、レンズをウェアラブルヘッドアップディスプレイで使用するように適合させる例示的方法を示すフロー図である。
【図９】ウェアラブルヘッドアップディスプレイで使用するように適合されたレンズを示す断面図であり、このレンズは図８の方法を実行することにより適合又は製作されている。
【発明を実施するための形態】
【００２０】
以下の説明の中では、開示されている各種の実施形態を十分に理解できるようにするために特定の具体的な詳細事項が示されている。しかしながら、当業者であればわかるように、実施形態はこれらの具体的な詳細事項の１つ又は複数がなくても、又は他の方法、コンポーネント、材料等でも実施されてよい。他の例では、眼鏡レンズ及び頭部装着型機器に関連するよく知られた構造については、実施形態の説明を不必要に曖昧にしないようにするために、詳しく図示又は説明されていない。
【００２１】
文脈上、他の解釈が必要な場合を除き、以下の明細書と特許請求の範囲の全体を通じて、「〜を含む（ｃｏｍｐｒｉｓｅ）」という単語及びその変化形（ｃｏｍｐｒｉｓｅｓ、ｃｏｍｐｒｉｓｉｎｇ）等は、オープン型の包含的意味で、すなわち「〜を含むがこれらに限定されない」として解釈されるものとする。
【００２２】
本明細書全体を通じて、「１つの実施形態」又は「ある実施形態」との文言は、特定の特徴、構造、又は特性が１つ又は複数の実施形態の中で何れの適当な方法で組み合わせられてもよいことを意味する。
【００２３】
本明細書及び付属の特許請求の範囲で使用されるかぎり、単数形（ａ、ａｎ、ｔｈｅ）は、文脈上、明確に他の解釈が求められないかぎり、複数形を含む。また、「又は」という用語は一般に、文脈上、明確に他の解釈が求められないかぎり、その最も広い意味で、すなわち「及び／又は」の意味で使用されていることに留意すべきである。
【００２４】
本明細書で提供される見出し及び開示の要約は便宜を目的としているにすぎず、実施形態の範囲や意味を解釈しない。
【００２５】
本明細書に記載されている各種の実施形態は、フォトポリマフィルムを眼鏡レンズに統合するシステム、製品、及び方法を提供する。これらにより、ホログラフィック光学素子（ＨＯＥ：ｈｏｌｏｇｒａｐｈｉｃ  ｏｐｔｉｃａｌ  ｅｌｅｍｅｎｔ）に眼鏡レンズの形状因子と剛性を提供する（任意選択によりレンズに処方が適用されてもされなくてもよい）ことができ、これらはｎｅａｒ−ｅｙｅ  ＨＯＥを利用するウェアラブルヘッドアップディスプレイ（ＷＨＵＤ：ｗｅａｒａｂｌｅ  ｈｅａｄｓ−ｕｐ  ｄｉｓｐｌａｙ）における透明コンバナイとして使用するのに特に好適である。フォトポリマフィルムを統合した眼鏡レンズのための本システム、製品、及び方法を利用してもよいＷＨＵＤの構造の例には、米国特許出願公開第２０１５−０２０５１３４  Ａ１号明細書、米国特許出願第１４／７４９，３４１号明細書（現在、米国特許出願公開第２０１５−０３７８１６４  Ａ１号明細書）、米国仮特許出願第６２／１１７，３１６号明細書（現在、米国特許出願公開第２０１６−０２３８８４５  Ａ１号明細書ならびに米国特許出願第１５／０４６，２３４号明細書及び第１５／０４６，２５４号明細書）、米国仮特許出願第６２／１３４，３４７号明細書（現在、米国特許出願第１５／０７０，８８７号明細書）、米国仮特許出願第６２／１５６，７３６号明細書（現在、米国特許出願第１５／１４５，５７６号明細書、第１５／１４５，６０９号明細書、及び第１５／１４５，５８３号明細書）、及び仮特許出願第６２／１６７，７６７号明細書（現在、米国特許出願第１５／１６７，４５８号明細書、第１５／１６７，４７２号明細書、及び第１５／１６７，４８４号明細書）が含まれ、これらに限定されない。本明細書に記載のシステム、製品、及び方法は、ｎｅａｒ−ｅｙｅ  ＨＯＥを利用するＷＨＵＤの構造（例えば上述のもの）での使用に有利であるが、それは、これらによって使用者がその外部環境を見る能力を限定せずに使用者に高品質の画像を提供できる、見た目の良いレンズ設計が可能になるからである。いくつかの実施例において、ｎｅａｒ−ｅｙｅ  ＨＯＥを含むＷＨＵＤは、ディスプレイが立体のコンテンツを表示するように動作可能であるか否かに関係なく、ディスプレイの光路内に少なくとも１つのＨＯＥを含むことに基づき、ホログラフィックディスプレイと呼ばれてもよい。
【００２６】
図１は、本システム、製品、及び方法による、そこにフォトポリマフィルム１１０が統合された眼鏡レンズ１００を示す斜視図である。フォトポリマフィルム１１０は、本システム、製品、及び方法のある実施例によれば、レンズ１００の内部体積内に（すなわち、レンズ材料の間に挟まれているか、それによって取り囲まれている内層として）埋め込まれているが、代替的実施例においては、フォトポリマフィルム１１０はレンズ１００の外面により担持されていてもよい。
【００２７】
眼鏡レンズ１００は、ｎｅａｒ−ｅｙｅ  ＨＯＥを使用するＷＨＵＤでの使用に特に好適である。１つ又は複数のホログラムが（より詳しくは後述するように、フォトポリマフィルム１１０がレンズ１００の中に埋め込まれる前後の何れかに）フォトポリマフィルム１１０の中に記録されて、例えば１つ又は複数の仮想イメージに対応する光を使用者の視野の中へと方向付ける（方向転換させる）ために使用されてもよい。光は、マイクロディスプレイ又はスキャニングレーザプロジェクタ等の画像ソースから発せられてもよい。本明細書全体を通じて、フォトポリマフィルム１１０がレンズに（すなわち、その中又は上に）統合されてもよい例示的なプロセスと、かかるプロセスにより製造される、これに対応する製品を説明する。
【００２８】
図２は、本システム、製品、及び方法により、ＷＨＵＤで使用するためのレンズを製造する例示的方法２００を示すフロー図である。方法２００は４つの行為２０１、２０２、２０３、及び２０４を含むが、当業者であればわかるように、代替的実施形態においては、特定の行為が省略されてもよく、及び／又は追加の行為が追加されてもよい。当業者であればまた、図に示された行為の順序は例示の目的のためにのみ示されており、代替的実施形態では変えてもよいこともわかるであろう。
【００２９】
方法２００は、成形プロセスを含み、フォトポリマフィルムがその中に埋め込まれている成形レンズを生産する。
【００３０】
２０１で、レンズ金型が提供される。レンズ金型は、眼鏡レンズの大きさと形状の空洞（すなわち、中空の内部空間）を有する。空洞の大きさと形状は、方法２００により生産される成形レンズの表面の１つ又は複数の部分を、任意選択により結果として得られる成形レンズに処方を適用するために、（例えばレンズ材料のエッチング又は旋盤による除去によって）再成形できるように、眼鏡レンズ「ブランク」のそれと少なくとも略同様であってもよい。あるいは、レンズ金型の空洞自体が、レンズの何れかの、又は両方の表面に特定の処方曲率を付与するような大きさと寸法であってもよい。レンズ金型は、その中に空洞を有する１片の材料から形成されても、又はそれらの間に空洞を形成するように一体に連結される複数片の（例えば、２つの半分又は２つもしくはそれ以上の部分）材料から形成されてもよい。
【００３１】
本明細書及び付属の特許請求の範囲の全体を通じて、「少なくとも略」という語句が、特にレンズ金型内の空洞の大きさ、寸法、及び／又は形状に関して頻繁に使用される。射出成形の当業者であれば理解するように、成形プロセスにより製造される成形物は一般に、それが形成される金型空洞と同じ大きさ、寸法、及び形状をとるが、成形プロセス中にわずかな相違及び／又はばらつきが生じる可能性があり、それによって成形された成形物の大きさ、寸法、及び／又は形状が、それが成形される金型空洞の大きさ、寸法、及び／又は形状とわずかに異なるかもしれない。特に、いくつかの硬化プロセスは、成形後の形状が収縮又は膨張する（一般に、レンズ業界では１０％未満）原因となりうる。これらの理由により、本明細書及び付属の特許請求の範囲の全体を通じて、「少なくとも略」という語句は一般に「１０％以内」を意味するために使用される。
【００３２】
２０２で、レンズ金型の空洞内にフォトポリマフィルムが位置決めされる。フォトポリマフィルムは、レンズ金型内で実質的に平らに保持されてもよく、又は有利な態様として、それがレンズ金型の空洞内で位置決めされる前／位置決めされている間にフォトポリマフィルムに曲率が付与されてもよい。フォトポリマフィルムに適用される曲率は、例えば、レンズ金型の一方又は両方の内面の曲率と少なくとも略一致してもよく、それによってフォトポリマフィルムは最終的に、方法２００により生産される成形レンズの対応表面のそれに少なくとも略一致する曲率を有することになる。曲率は、フィルムを形成する／形作るための従来の技術を使って、例えば熱を、標的を絞った空気流（例えば、圧力差）又は成形金型等のフォーミングシェイプの何れかと組み合わせて適用することにより付与されてもよい。具体的な実施例に応じて、フォトポリマフィルムは、何れの形態の曲率を具現化するためにも形成され／形作られてよく、これには均一な曲率、変化する曲率、又は１つもしくは複数の平坦区間により分離される１つ又は複数の湾曲区間が含まれるが、これらに限定されない。フォトポリマフィルムの好ましい形態又は形状は、レンズの曲率及び／又はフォトポリマフィルムの中に記録される予定の（又はすでに記録された）ホログラムの特性に依存してもよい。
【００３３】
任意選択により、結合剤又は結合プロセスは、フォトポリマフィルムがレンズ金型の空洞内で位置決めされる前／されている間にフォトポリマフィルムの少なくとも１つの表面に塗布又は適用されてもよい。適当である例示的な結合剤には光学接着剤又はフィルムプライマが含まれ、その一方で、適当である結合プロセスの例にはプラズマ活性化等の表面エネルギー改変技術が含まれる。特に、レンズ材料とフォトポリマフィルムとの間の接着は、有利な態様として、処方眼鏡レンズを含む眼鏡レンズに適用される規則（例えば、「鋼球落下」試験、加速風化、又はその他）に適合するように設計されてもよい。
【００３４】
２０３で、レンズ形成流体（例えば、ポリカーボネート、ＣＲ−３９、Ｈｉｖｅｘ（登録商標）、Ｔｒｉｖｅｘ（登録商標）又はその他）が空洞内に（例えば、少なくとも１つの注入ポートを介して）流し込まれる。有利な点として、レンズ形成流体は、空洞を完全に満たし、フォトポリマフィルムを完全に取り囲み、包囲し、又は挟んでもよい。空洞内に気体（例えば空気）がすべてレンズ形成流体充填中に排出されることができるように、空洞は少なくとも１つの排気ポートを含んでいてもよい。空洞がまずレンズ形成流体で満たされるが、レンズ形成流体が硬化されないままであるとき、レンズ形成流体はレンズ金型の空洞の大きさ、寸法、及び形状、又は公称の、もしくは指定された大きさ、寸法、及び／又は形状と少なくともほぼ等しい（すなわち、１％以内）の大きさ、寸法、及び形状をとっていてもよい。
【００３５】
２０４で、レンズ形成流体が空洞内で硬化されて、フォトポリマフィルムがその中に埋め込まれたレンズが形成される（例えば、図１に示されるように、フォトポリマフィルム１１０がその中に埋め込まれているレンズ１００）。方法２００により生産される成形レンズの寸法及び／又は形状は、レンズ金型の空洞のそれらと少なくとも略等しい。使用されるレンズ形成流体に応じて、硬化プロセスには様々なメカズムが関わっていてもよく、これにはＵＶ光への曝露、温熱／寒冷への曝露、循環ガスへの曝露による乾燥、１種又は複数の化学的硬化剤（例えば、補強剤又は焼き入れ剤）の添加、及び／又は時間の経過が含まれるが、これらに限定されない。
【００３６】
行為２０１、２０２、２０３、及び２０４により、フォトポリマフィルムがその中に埋め込まれている成形レンズが提供され、このようなレンズはＷＨＵＤで使用されてもよい。このようなレンズをＷＨＵＤ内で使用するためには、少なくとも１つの対応ホログラムをフォトポリマフィルムの中に記録することが必要である。本システム、製品、及び方法によれば、１つ又は複数のホログラムは、フォトポリマフィルムがレンズ内に埋め込まれる前後の何れかにフォトポリマフィルムの中に記録されてもよく、したがって、方法２００は１つ又は複数のホログラムをフォトポリマフィルムの中に記録するステップを含んでいてもよい。
【００３７】
ホログラムがその中に記録される前に、本明細書中で想定されるフォトポリマフィルムは必然的に感光性を有する。さらに、「記録されていない」状態にある間に、フォトポリマフィルムは高温（例えば、約８０℃以上の温度）に対する感受性を有しているかもしれない。それゆえ、方法２００が、空洞内のレンズ形成流体を硬化させてレンズを形成するステップの後（すなわち、行為２０４の後）にホログラムをレンズの中に埋め込まれたフォトポリマフィルムの中に記録するステップをさらに含む場合、方法２００の少なくとも行為２０２、２０３、及び２０４は、有利な態様として、暗い環境において約８０℃未満の温度で実行することにより、フォトポリマフィルムの感光性を保つべきである。本システム、製品、及び方法の解釈において、「暗い環境」という用語は一般に、フォトポリマがそれに対して感光性を有する「光」（又は、より一般的には、エネルギーの波長）の存在を減らし、限定するために注意が払われている環境を指すために使用されている。当業者であればわかるように、必要とされる暗さのレベル（すなわち、幾分かの光が依然として存在する「薄暗い状態」から光が一切存在しない「真っ暗」までに及ぶ）は、使用される特定のフォトポリマと、フォトポリマがいずれかの光に曝露される時間の長さの両方に依存する。一般に、フォトポリマが光に曝露される時間が長いほど、光をより薄暗くして、記録されていないフォトポリマの感光性を保つべきである。
【００３８】
ホログラムがその中に記録された後、本明細書で想定されているフォトポリマフィルムは典型的に、感光性を持たなくなる。それゆえ、必要なホログラムは、方法２００の行為２０２、２０３、及び２０４の前にフォトポリマフィルムの中に記録して、行為２０２、２０３、及び２０４を暗い環境で実行する必要をなくしてもよい。さらに、フォトポリマフィルムの温度感受性は、ホログラムがその中に記録された後では変化してもよく、それによって行為２０２、２０３、及び／又は２０４をより高い温度（例えば、具体的な実施例と、フォトポリマフィルムがその温度のままである時間の長さに応じて、８０℃より高く、最高約１００℃〜１２０℃）で実行できる。
【００３９】
任意選択により、方法２００は、ＷＨＵＤで使用するための処方眼鏡レンズを提供するように拡張されてもよい。眼鏡処方は、行為２０４により空洞内でレンズ形成流体を硬化させてレンズを形成するステップの後にレンズに適用されてもよい。前述のように、ホログラムがまだフォトポリマフィルムの中に記録されていない場合、眼鏡処方は、例えば、フォトポリマの感光性を保護するために暗い環境内でレンズの少なくとも１つの面の曲率を再形成することによって適用する必要があるであろう。逆に、レンズに眼鏡処方を適用する前にホログラムがフォトポリマフィルムの中に記録される場合、処方は暗い環境の外で（すなわち明るい室内で）適用されてもよいが、新たな課題が生じ、すなわちレンズ内に含められて処方により、ホログラムに当たる、及び／又はホログラムによって方向転換される光の入射／射出特性が変化するかもしれない。それゆえ、方法２００の行為２０２、２０３、及び２０４が実行される前にホログラムがフォトポリマの中に記録され、眼鏡処方がそのレンズに適用される予定である場合、眼鏡処方の詳細は事前に決定されてもよく、ホログラム自体は、眼鏡処方に対応する、またはそれを補償するように設計されてもよい。より一般的には、眼鏡処方がレンズに適用される予定ではない場合でも、ホログラムは依然として、レンズの光学的効果及び／又は、レンズに統合されたときのホログラム自体の曲率の光学的効果を提供する、及び／又はそれを補償するように設計されてもよい。
【００４０】
フォトポリマフィルムがその中に埋め込まれている成形レンズが方法２００を介して生産されたら、有利な態様として、レンズを焼鈍することにより内部応力を除去してもよい。従来の成形レンズは典型的に、比較的高温（例えば、１２０℃等、１００℃より高い）で比較的短時間（例えば、１分、５分、１０分、又は１５分等、分単位）にわたり焼鈍されるが、前述のように、このような高温に長時間暴露されると、フォトポリマフィルムが損傷する可能性がある。本システム、製品、及び方法によれば、フォトポリマフィルムがその中に埋め込まれている成形レンズ（例えば、方法２００の実施により製造されるレンズ）は、有利な態様として、比較的低温（例えば、９０度以下等、１００℃未満）で比較的長時間（例えば、４５分、１時間、７５分等、約３０分以上）にわたり焼鈍されてもよい。より低温での焼鈍（ただし、少なくとも約５０℃を超える、意図的に高くされた温度）は特に、成形レンズ内に埋め込まれたフォトポリマフィルムの温度感受性を提供し、焼鈍中にフィルムが損傷を受ける可能性を低下させる。
【００４１】
図３は、ＷＨＵＤで使用するためのレンズ３００を示す断面図であり、レンズ３００は方法２００の実施により製造又は製作されている。すなわち、図３は、空洞を有するレンズ金型を提供する行為と、任意選択によりフォトポリマフィルムを形作り／形成する行為と、レンズ金型の空洞内でフォトポリマフィルムを位置決めする行為と、空洞内にレンズ形成流体を流し込む行為と、空洞内でレンズ形成流体を硬化させて、フォトポリマフィルムがその中に埋め込まれているレンズを形成する行為から得られるレンズ３００を示しており、レンズは空洞と少なくとも略等しい寸法及び／又は形状を有する。レンズ３００は、レンズ材料３１１によって完全に包囲されたフォトポリマフィルム３１０を含むが、代替的実施例においては、フォトポリマフィルムの１つ又は複数の部分がレンズ３００の周辺に到達し、又はさらにはそこから突出していてもよい。
【００４２】
図に示されるレンズ３００の例において、フォトポリマフィルム３１０はレンズ材料３１１の中央に位置していない。むしろ、フォトポリマフィルム３１０は最も近位に（例えば、できるだけ近いが、レンズ形成流体が流れ、空洞全体を満たすことができるような位置に）あり、レンズ３００の凹面、すなわち「眼に対向する」面と同じ曲率を実現するように形成される。スキャニングレーザを用いたＷＨＵＤで使用する場合、レーザ光はレンズ３００のこの表面に当たり、レンズ材料３１１を透過してフォトポリマフィルム３１０に当たるかもしれない。すると、フォトポリフィルム３１０内の１つ又は複数のホログラムはレーザ光を使用者の眼に向かって方向転換させてもよい。それゆえ、この光路に沿って、レーザ光（すなわち、「投射された表示光」）は、それがレンズ材料に入射するときに屈折し、レンズ材料３１１の中を通り、フォトポリマフィルム３１０から方向転換し（例えば、反射、回折し）、レンズ材料３１１の中を通り、その後、それがレンズ材料３１１から出るときに再び屈折する。レンズ材料３１１での屈折は最終的に、投射された表示光の軌道をシフトさせる可能性があり、このシフトの量は、投射された表示光がレンズ材料３１１の中を通る距離に依存するかもしれない。本システム、製品、及び方法によれば、レンズ内に埋め込まれた（すなわち、レンズ材料により取り囲まれた）フォトポリマフィルムがレンズのインカプリング／アウトカプリング面（投射された表示光に関するインカプリング／アウトカプリング）の近位に（例えば、合理的に可能な限り近くに）位置付けられることにより、投射された表示光の光路内にあるレンズ材料３１１の量を減らし（例えば、最小化し）、それによってレンズ材料の屈折効果を減らす（例えば、最小化する）ことが有利でありうる。さらに、レンズ材料３１１からのアウトカプリング点において、投射された表示光の少なくとも一部がフォトポリマフィルム３１０に煙って内側に反射されるかもしれず、そこから、投射された表示光のその部分が再び使用者の眼に向かって方向転換され、望ましくないことに、投射された表示コンテンツにおける反響、すなわち「ゴースト」効果が生じるかもしれない。図３に示されているように、フォトポリマフィルム３１０を中心からずらし、レンズ３００の凹面、すなわち「眼に対向する」面に近い位置（すなわち、レンズ３００の凸面、すなわち「外向き」面から比較的より遠い位置）に位置付けることにより、有利な点として、このようなゴースト効果を減らすことができる。
【００４３】
フォトポリマフィルムを眼鏡レンズに統合するための成形／鋳造プロセスの代替案として、フォトポリマフィルムは、例えば積層プロセスを使って、レンズ材料の２つ又はそれ以上のそれぞれの部分間に挟まれてもよい。
【００４４】
図４は、本システム、製品、及び方法による、ＷＨＵＤで使用するためのレンズを製造する例示的方法４００を示すフロー図である。方法４００は６つの行為４０１、４０２、４０３、４０４、４０５、及び４０６を含むが、当業者であればわかるように、代替的実施形態においては、特定の行為が省略されてもよく、及び／又は追加の行為が追加されてもよい。当業者であればまた、図に示された行為の順序は例示の目的のためにのみ示されており、代替的実施形態では変えてもよいこともわかるであろう。
【００４５】
４０１で、レンズの前側半分が提供される。レンズの前側半分は、レンズのうち、レンズがＷＨＵＤフレームに嵌め込まれ、使用者の頭部に装着されたときに外向きとなる面を含む。
【００４６】
４０２で、レンズの後側半分が提供される。レンズの後側半分は、レンズのうち、レンズＷＨＵＤのフレームに嵌め込まれ、使用者の頭部に装着されたときに内向きとなる（すなわち、使用者の眼に最も近い）面を含む。方法４００では、フォトポリマフィルムとレンズとの統合に成形／鋳造プロセスは含まれていないが、当業者であればわかるように、レンズの前側半分及び／又はレンズの後側半分の何れか又は両方が、方法４００の前に成形／鋳造プロセスにより形成されていてもよい。
【００４７】
４０３で、フォトポリマフィルムが提供される。フォトポリマフィルムは、記録されていなくても、記録されていてもよい（すなわち、フォトポリマフィルムはすでにその中／その上に記録されたホログラムを含んでいてもよく、又はフォトポリマフィルムはまだその中／その上に記録されたホログラムを含んでいなくてもよい）。
【００４８】
４０４で、光学接着剤（又は前述のように、その他の結合剤又は結合プロセス）は、レンズの前側半分の表面（すなわち、レンズの前側半分のうち、レンズがＷＨＵＤフレームに嵌め込まれ、使用者の頭部に装着されたときに外向きとなるレンズ前側半分の表面とは反対の表面）、レンズの後側半分の表面（すなわち、レンズの後側半分のうち、レンズがＷＨＵＤフレームに嵌め込まれ、使用者の頭部に装着されたときに内向きとなるレンズの後側半分の表面と反対の表面）、及び／又はフォトポリマフィルムの表面のうちの少なくとも１つ（すなわち、これらからなる群より選択される少なくとも１つの表面）に塗布（適用）される。本明細書及び付属の特許請求の範囲の全体を通じて、「光学接着剤」という用語は、（例えば）Ｎｏｒｌａｎｄ（登録商標）Ｏｐｔｉｃａｌ  Ａｄｈｅｓｉｖｅ等、光学的に透明であるか、硬化すると光学的に透明となる接着剤を指す。
【００４９】
４０５で、フォトポリマフィルムはレンズの前側半分とレンズの後側半分との間に位置付けられる。これと同等に、レンズの前側半分とレンズの後側半分はそれぞれ、フォトポリマフィルムの各々の側に位置付けて、フォトポリマフィルムがレンズの前側半分とレンズの後側半分との間に位置付けられるようにしてもよい。いくつかの実施例において、行為４０５の前又はその中で（及び行為４０４の前又は後に）フォトポリマフィルムに曲率が付与されてもよい。前述のように、曲率は、フィルムを形成し／形作るための従来の方法、例えば熱と標的を絞った空気流（例えば、圧力差）を加えることによって付与されてもよい。
【００５０】
４０６で、レンズの前側半分とレンズの後側半分は、フォトポリマリフィルムがそれらの間に挟まれた状態で共に圧迫される。この圧迫中、又はその後に、行為４０３での光学接着剤が硬化されてもよい。「レンズの前側半分とレンズの後側半分を共に圧迫するステップ」は、レンズの前側半分をレンズの後側半分に押し付けるステップ、及び／又はレンズの後側半分をレンズの前側半分に押し付けるステップを含む。いくつかの実施例において、光学接着剤は感圧性であって、行為４０６の圧迫するステップにより硬化されてもよい。他の実施例において、光学接着剤は、紫外光への曝露等、他の手段により硬化されてもよい。
【００５１】
前述のように、１つ又は複数のホログラムは、フォトポリマがレンズに統合される前後の何れかにフォトポリマの中／上に記録されてもよい。フォトポリマフィルムがレンズに統合される前（すなわち、方法４００の少なくとも行為４０５の前）にホログラムが記録される場合、ホログラムはレンズの前側半分及び／又はレンズの後側半分の少なくとも一方により、又はレンズに統合されたときにホログラム自体の曲率により導入される少なくとも１つの光学的効果を提供及び／又は補償するように設計されてもよい。フォトポリマフィルムがレンズに統合された後（すなわち、方法４００の行為４０６の後）にホログラムが記録される場合、フォトポリマフィルムは、統合プロセス全体を通じて（すなわち、方法４００全体を通じて）高い感光性を有し、したがって、少なくとも行為４０３、４０５、及び４０６は（光学接着剤がフォトポリマフィルムの表面に塗布された場合は行為４０４も）暗い環境で実行されるべきである。
【００５２】
同じく前述のように、眼鏡処方は、フォトポリマフィルムがレンズに統合された後にレンズに付加されてもよい。この場合、方法４００は、行為４０６の後に眼鏡処方をレンズの前側半分及び／又はレンズの後側半分のうちの少なくとも一方に適用するステップを含むように拡張されてもよい。
【００５３】
図５は、ＷＨＵＤにおいて使用するためのレンズ５００を示す断面図であり、レンズ５００は方法４００の実施により製造又は製作されている。すなわち、図５は、レンズの前側半分を提供する行為と、レンズの後側半分を提供する行為と、フォトポリマフィルムを提供する行為と、光学接着剤（又はその他の結合剤又は結合プロセス）をレンズの前側半部の表面、レンズの後側半分の表面、及びフォトポリマフィルムの表面のうちの少なくとも１つ（すなわち、これらからなる群より選択される少なくとも１つの表面）に塗布（適用）する行為と、レンズの前側半分とレンズの後側半分との間にフォトポリマフィルムを位置決めする行為と、レンズの前側半分とレンズの後側半分をそれらの間にフォトポリマフィルムが挟まれた状態で共に圧迫する行為から得られるレンズ５００を示している。図３のレンズ３００（方法２００の実施により製作される）と同様に、レンズ５００は、レンズ材料５１１により完全に包囲されているフォトポリマフィルム５１０を含むが、代替的実施例において、フォトポリマフィルムの１つ又は複数の部分がレンズ５００の周辺に到達し、又はさらにはそこから突出してもよい。しかしながら、方法５００には、レンズの２つの別々の半分を、それらの間にフォトポリマフィルム５１０が位置付けられた（行為４０５による）状態で共に圧迫する（行為４０６による）ステップを含むため、レンズ５００はまた、レンズ５００の前側半分５２１とレンズ５００の後側半分５２２との間に界面５３０を含み、それに対して、方法２００の成形方式では、図３に示されているようなレンズ３００の体積内に同様の界面が生成されない。
【００５４】
フォトポリマフィルムをレンズの内部体積内に埋め込む（方法２００及び／又は方法４００による）ことによるフォトポリマフィルムとレンズとの統合の代替案として、フォトポリマフィルムは、フォトポリマフィルムをレンズの外面に固定又は積層することによってレンズに統合されてもよい。換言すれば、既存のレンズは、フォトポリマフィルムをレンズに付着させることにより、ＷＨＵＤにおいて使用するように適合されてもよい。
【００５５】
図６は、本システム、製品、及び方法により、レンズをＷＨＵＤで使用するように適合する例示的方法６００を示すフロー図である。方法６００は２つの行為６０１及び６０２を含むが、当業者であればわかるように、代替的実施形態においては、特定の行為が省略されてもよく、及び／又は追加の行為が追加されてもよい。当業者であればまた、図に示された行為の順序は例示の目的のためにのみ示されており、代替的実施形態では変えてもよいこともわかるであろう。
【００５６】
６０１で、凹面を有するレンズが提供される。レンズ１００、３００、及び５００と同様に、凹面は、レンズがＷＨＵＤに組み込まれ、使用者の頭部に装着されたときに、レンズの「内向き」面（すなわち、レンズのうち、使用者の眼に最も近い面）に対応していてもよい。
【００５７】
６０２で、フォトポリマフィルムはレンズの凹面に付着される。フォトポリマフィルムは、レンズの凹面の曲率と少なくとも略等しい凹形曲率をとる。いくつかの実施例において、フォトポリマフィルムは、それがレンズの凹面に付着されるときに（すなわち、付着されることによって）凹形曲率をとってもよく、それに対して、他の実施例では、フォトポリマフィルムは、それがレンズの凹面に付着される前に凹形曲率をとるように形作られ／形成されてもよい。ここで、フォトポリマフィルムをレンズの凹面に付着させるためのこれらの技術について説明する。
【００５８】
方法６００の第一の実施例において、方法６００の行為６０２は、フォトポリマフィルムを提供するステップと、レンズの凹面及び／又はフォトポリマフィルムの表面の少なくとも一方に光学接着剤（又はその他の結合剤間は結合プロセス）を塗布（適用）するステップと、レンズの凹面とフォトポリマ表面を共に圧迫するステップと、光学接着剤を硬化させるステップと、を含んでいてもよい。前述のように、レンズの凹面とフォトポリマフィルムの表面を共に圧迫するステップは、レンズの凹面をフォトポリマフィルムの表面に押し付けるステップ及び／又はフォトポリマフィルムの表面をレンズの凹面に押し付けるステップを含んでいてもよい。いくつかの実施例において、湾曲した物体（すなわち、湾曲プレス）を使って、表面をレンズとフィルムとの界面に対して垂直な方向に共に直接圧迫してもよく、それに対して、他の実施例では、１つ又は複数のローラを使って、レンズとフィルムとの界面全体にわたって圧迫／積層してもよい。レンズの凹面とフォトポリマフィルムの表面を共に圧迫するステップは、フォトポリマフィルムを温めるステップを含んでいてもよい。前述のように、ホログラムがフォトポリマの中にすでに記録されている場合、フォトポリマは比較的高温（例えば、最高約２００℃）まで温められてもよく、それに対して、ホログラムがまだフォトポリマの中に記録されていない場合、圧迫中に温めるステップは、約８０℃未満に制限すべきである（本明細書における「約」という用語は一般に、１５％以内を意味する）。
【００５９】
光学接着剤を硬化させるステップは、ＵＶ光への曝露、温熱／寒冷への曝露、循環気体（複数の場合もある）への曝露による乾燥、１種又は複数の化学的硬化剤（例えば、補強剤又は焼き入れ剤）の添加、及び／又は時間の経過の何れか又は全部を含んでいてもよい。
【００６０】
方法６００の第二の実施例において、方法６００の行為６０２は、フォトポリマフィルムをキャリアの表面に付着させるステップと、キャリアを湾曲させて、レンズの凹面と少なくとも略一致する凹形曲率を提供するステップと、レンズの凹面、フォトポリマの表面、及びキャリアの表面のうちの少なくとも１つに光学接着剤（又はその他の結合剤又は結合プロセス）を塗布（適用）するステップと、レンズの凹面とキャリアを、その上にフォトポリマフィルムが載った状態で共に圧迫して、光学接着剤を挟むステップと、光学接着剤を硬化させるステップと、を含んでいてもよい。希望に応じて（かつ、接着が完了した後にキャリア表面が露出面となる場合に、可能であれば）、フォトポリマフィルムがレンズの凹面に接着された後に、キャリアが除去され（例えば、エッチングされ、剥離され、又はこれと同様に）されてもよい。キャリアを湾曲させるステップは、例えば、フォトポリマフィルムを温める（すなわち、記録されていなければ約８０℃未満の温度まで、又は記録されていれば約２００℃未満の温度まで）ステップと、キャリアを、その上にフォトポリマフィルムが載った状態で、湾曲面の上に圧迫するステップと、を含んでいてもよく、湾曲面は、レンズの凹面と少なくとも略一致する、又は勘合する曲率を有する。
【００６１】
方法６００の第三の実施例において、方法６００の行為６０２は、フォトポリマフィルムをレンズの凹面に、少なくとも１つの薄膜堆積技術により接着させるステップを含んでいてもよい。この用途に適しているかもしれない例示的な薄膜堆積技術は、スピンコーティング、ディップコーティング、及び／又は真空蒸着を含むが、これらに限定されない。
【００６２】
方法２００及び４００において、フォトポリマフィルムはレンズ自体の形成中にレンズに統合される。したがって、方法２００及び４００に関して、眼鏡処方が望まれる場合、眼鏡処方は、フォトポリマフィルムが統合された後のレンズに付加／適用される。その逆に、方法６００において、既存のレンズが、フォトポリマフィルムをその上に固定することによってＷＨＵＤで使用するように適用される。したがって、眼鏡処方（希望される場合）は、方法６００の行為６０２の前（すなわち、フォトポリマフィルムがレンズの凹面に付着される前）にレンズに適用されてもよい。
【００６３】
前述のように、１つ又は複数のホログラムは、フォトポリマがレンズに統合される前後の何れかにフォトポリマの中／上に記録されてもよい。ホログラムが、フォトポリマフィルムがレンズに統合される前（すなわち、方法６００の少なくとも行為６０２の前）に記録される場合、ホログラムは、レンズの光学的効果及び又はホログラムの曲率の光学的効果を提供及び／又は補償するように設計されてもよい。ホログラムが、フォトポリマフィルムがレンズに統合された後（すなわち、方法６００の行為６０２の後）に記録される場合、フォトポリマフィルムは、統合プロセス全体を通じて（すなわち、方法６００全体を通じて）高い感熱性を有しており、したがって、少なくとも行為６０２は暗い環境で実行すべきである。
【００６４】
図７は、ＷＨＵＤで使用するように適用されたレンズ７００を示す断面図であり、レンズ７００は方法６００の実施により適用又は製作されている。すなわち、図７は、凹面７２０を有するレンズ７１１を提供する行為と、レンズ７１１の凹面７２０にフォトポリマフィルム７１０を付着させる行為から得られた適用済みレンズ７００を示しており、フォトポリマフィルム７１０は、レンズ７１１の凹面７２０の曲率に少なくとも略等しい凹形曲率（図７の二重矢印により示される）をとる。
【００６５】
方法２００、４００、及び６００（及び、したがって、レンズ３００、５００、及び７００）はすべて、フォトポリマフィルムに曲率を付与するステップ又は、一般に最終的に湾曲したフォトポリマフィルムが得られるようにするステップを含んでいてもよい。実際には、湾曲面上で使用するためのホログラムを設計することは非常に難しい可能性がある。ホログラムをフォトポリマの湾曲面に記録しなければならない（これによって、ホログラフィプロセスが非常に複雑となる）か、又はホログラムはフォトポリマが平坦／平面である間に記録されてもよいが、ホログラム自体を、フォトポリマにその後付与されることになる曲率を提供／補償／予測したものとしなければならない（これにより、ホログラムの定義が非常に複雑となる）。湾曲したフォトポリマの問題を回避するために、本システム、製品、及び方法は、平面フォトポリマに統合される、適用された眼鏡レンズを含む。
【００６６】
図８は、本システム、製品、及び方法によりＷＨＵＤで使用するようにレンズを適用する例示的方法８００を示すフロー図である。方法８００は３つの行為８０１、８０２、及び８０３を含むが、当業者であればわかるように、代替的実施形態において、特定の行為は省略されてもよく、及び／又は追加の行為が追加されてもよい。当業者であればまた、図に示された行為の順序は例示的目的のためにのみ示されており、代替的実施形態においては変えてもよいことがわかるであろう。
【００６７】
８０１で、方法６００の行為６０１と同様に、凹面を有するレンズが提供される。凹面は、レンズがＷＨＵＤに組み込まれ、使用者の頭部に装着されたときに、レンズの「内向き」面（すなわち、レンズのうち、使用者の眼に最も近い表面）に対応していてもよい。
【００６８】
８０２で、フォトポリマフィルムは平面キャリアに付着される。平面キャリアは光学的に透明であり、実質的に硬質であってもよい。フォトポリマフィルムを平面キャリアに付着させるステップは、光学接着剤等の結合剤を使って、又は薄膜堆積技術（スピンコーティング、ディップコーティング、又は真空蒸着）を使って、フォトポリマフィルムを平面キャリアの表面上に直接堆積させることにより、フォトポリマフィルムを平面キャリアに接着させるステップを含んでいてもよい。行為６０２により、その表面上にフォトポリマのフィルムが担持される透明スライドと同様の構造が生成される。
【００６９】
８０３で、平面キャリアの少なくとも２点は、レンズの凹面上の少なくとも２つのそれぞれの点に固定される。平面キャリアの少なくとも２点は、平面キャリアの長さの少なくとも一部の両端にあってもよい。平面キャリアの少なくとも２点は、平面キャリアの幅をまたぐ２本の線であってもよい。キャリア上の少なくとも２点は、平面キャリアの長さの両端にある、平面キャリアの２つの縁辺であってもよい（例えば、平面キャリアが長方形である場合、長方形の２つの短辺）。いくつかの実施例において、平面キャリアの周辺全体がレンズの凹面に固定されてもよい（例えば、平面キャリアが湾曲した形状を有する場合）。
【００７０】
キャリアが平面であり、それが（８０３で）レンズの凹面上の少なくとも２点に固定されるため、キャリアは、レンズの凹面全体にわたってレンズの凹面と平面キャリアとの間に空洞を画定する。８０３で平面キャリアの少なくとも２点をレンズの凹面上の少なくとも２つのそれぞれの点に固定するステップは、光学接着剤等の結合剤を使って平面キャリアの少なくとも２点をレンズの凹面上の少なくとも２つのそれぞれの点に接着するステップを含んでいてもよい。
【００７１】
いくつかの実施例において、方法８００は、行為８０２と８０３との間で、レンズの凹面に陥凹部を切削、又はエッチングし、又はそれ以外に形成するステップを含んでいてもよく、陥凹部は、その上にフォトポリマフィルムが担持される平面キャリアを受けるような大きさと寸法である。このような実施例において、平面キャリアの少なくとも２点をレンズの凹面上の少なくとも２つのそれぞれの点に固定するステップは、ｉ）レンズの凹面の陥凹部の中に平面キャリアを位置決めするステップと、ｉｉ）平面キャリアをレンズの凹面の陥凹部に、結合剤及び／又は結合プロセスを介して固定するステップと、を含んでいてもよい。すると、任意選択により、方法８００は、陥凹部の残りの空間をレンズ材料でオーバモールド又はそれ以外に充填して、陥凹部が切削／エッチングされたレンズの平滑な（及び任意選択により凹形の）表面を復元するステップを含むように拡張されてもよい。
【００７２】
方法６００と同様に、方法８００において、既存のレンズは、（８０３で）そこにフォトポリマフィルムを固定することによってＷＨＵＤで使用するように適用される。したがって、眼鏡処方（希望がある場合）は、方法８００の行為８０３の前（すなわち、平面キャリアの少なくとも２点がレンズの凹面上の少なくとも２つのそれぞれの点に固定される前に）レンズに適用されてもよい。
【００７３】
前述のように、１つ又は複数のホログラムは、フォトポリマがレンズに統合される前後の何れかにフォトポリマの中／上に記録されてもよい。ホログラムが、フォトポリマフィルムがレンズに統合される前（すなわち、方法８００の少なくとも行為８０３の前）に記録される場合、ホログラムは、レンズの光学的効果を提供及び／又は補償するように設計されてもよい。ホログラムが、フォトポリマフィルムがレンズに統合された後（すなわち、方法８００の行為８０３の後）に記録される場合、フォトポムリマフィルムは統合プロセス全体を通じて（すなわち、方法８００の全体を通じて）高い感光性を有しており、したがって、少なくとも行為８０２及び８０３は、暗い環境で実行すべきである。
【００７４】
図９は、ＷＨＵＤで使用するように適用されたレンズ９００を示す断面図であり、レンズ９００は方法８００の実施により適用又は製作されている。すなわち、図９は、凹面９２０を有するレンズ９１１を提供する行為と、フォトポリマフィルム９１０を平面キャリア９３０に付着させる行為であって、平面キャリア９３０は光学的に透明であるような行為と、平面キャリア９３０の少なくとも２点９３１、９３２をレンズ９１１の凹面９２０上の少なくとも２つのそれぞれの点９２１、９２２に固定する行為であって、平面キャリア９３０の少なくとも２点９３１、９３２は平面キャリア９３０の長さの少なくとも一部の両端にあるような行為から得られる適用済みレンズ９００を示す。
【００７５】
キャリアを含む方法／用途において、フォトポリマは積層プロセスを使ってキャリアに結合されてもよい。
【００７６】
いくつの各種コーティングが、本システム、製品、及び方法において記載された何れのレンズ（例えば、レンズ１００、レンズ３００、レンズ５００、レンズ７００、及び／又はレンズ９００）の表面の何れか又は両方に付着されてもよい。このようなコーティングの例には、ハードコーティング（傷付きやすさを減らすため）、反射防止コーティング、及び／または反射コーティングが含まれるが、これらに限定されない。この目的のために、本明細書に記載されている方法の各々（例えば、方法２００、方法４００、方法６００、及び／又は方法８００）は、このようなコーティングの付着を含むように拡張されてもよい。
【００７７】
フォトポリマフィルムが、フィルムが「記録されていない」状態のままのレンズに統合される実施例、及び１つ又は複数のホログラムが、フォトポリマフィルムがレンズに統合されている間にフォトポリマフィルムの中に記録される実施例においては、ホログラム記録プロセス中にレンズ材料自体の熱膨張を考慮する必要がある。フォトポリマフィルムの中にホログラムを記録するステップは典型的に１つ又は複数のレーザを利用し、これは記録中にフォトポリマフィルムがその上又は中に担持されるレンズ材料を加熱するかもしれず、それによってレンズ材料はその特徴的な熱膨張率に応じて膨張することになり、それがフォトポリマフィルム自体の位置ずれ又はその引き伸ばしの原因となる。そのため、特に熱膨張率が低いレンズ材料（ガラス材料等）は、１つ又は複数のホログラムが、フォトポリマフィルムがレンズに統合された後にフォトポリマフィルムの中に記録される実施例において有利となりうる。
【００７８】
本明細書及び付属の特許請求の範囲全体を通じて、不定詞の形態がしばしば使用される。その例には、「検出すること（ため）」、「提供すること（ため）」、「伝送すること（ため）」、「通信すること（ため）」、「加工すること（ため）」、「送ること（ため）」及びその他が含まれるが、これらに限定されない。具体的な文脈から他の解釈が必要な場合を除き、このような不定詞の形態はオープン型の包括的意味で、すなわち、「少なくとも検出すること（ため）」、「少なくとも提供すること（ため）」、「少なくとも伝送すること（ため）」等として使用されている。
【００７９】
図の実施形態の上記の説明は、要約書に記載されているものを含め、網羅的であるもの、又は実施形態を開示されている詳細な形態に限定するものとは意図されない。具体的な実施形態や例が本明細書においては例示的を目的として説明されているが、当業者であればわかるように、開示の主旨と範囲から逸脱することなく、様々な同等の改変を加えることができる。本明細書で提供されている各種の実施形態の教示は、必ずしも上で一般的に説明した例示的ウェアラブル電子機器ではなく、他の携帯型及び／又はウェアラフル電子機器にも適用できる。
【００８０】
例えば、上述の詳しい説明は、ブロック図、略図、及び例を介して機器及び／又はプロセスの様々な実施形態を示している。このようなブロック図、略図、及び例に１つ又は複数の機能及び／または動作が含まれるかぎり、当業者であれば理解できるように、このようなブロック図、フローチャート、又は例の中の各機能及び／または動作が、個別に及び／またはまとめて、様々なハードウェア、ソフトウェア、ファームウェア、又は事実上それらのあらゆる組み合わせで実施できる。
【００８１】
上述の各種の実施形態を組み合わせて、別の実形態を提供することができる。本明細書の中の具体的な教示及び定義と一致しない限り、本明細書において言及された、及び／または出願データシート内に挙げられた、Ｔｈａｌｍｉｃ  Ｌａｂｓ  Ｉｎｃ．が所有する米国特許、米国特許出願公開、米国特許出願、外国特許、外国特許出願、及び非特許文献はすべて、米国仮特許出願第６２／２１４，６００号明細書、米国特許出願公開第２０１５−０２０５１３４  Ａ１号明細書、米国特許出願第１４／７４９，３４１号明細書（現在、米国特許出願公開第２０１５−０３７８１６４  Ａ１号明細書）、米国仮特許出願第６２／１１７，３１６号明細書（現在、米国特許出願公開第２０１６−０２３８８４５  Ａ１号明細書ならびに米国特許出願第１５／０４６，２３４号明細書及び第１５／０４６，２５４号明細書）、米国仮特許出願第６２／１３４，３４７号明細書（現在、米国特許出願第１５／０７０，８８７号明細書）、米国仮特許出願第６２／１５６，７３６号明細書（現在、米国特許出願第１５／１４５，５７６号明細書、第１５／１４５，６０９号明細書、及び第１５／１４５，５８３号明細書）、及び米国仮特許出願第６２／１６７，７６７号明細書（現在、米国特許出願第１５／１６７，４５８号明細書、第１５／１６７，４７２号明細書、及び第１５／１６７，４８４号明細書）を含め、その全体を参照によって本願に援用する。実施形態の態様は、必要に応じて改変し、様々な特許、出願、及び文献のシステム、回路、及び概念を利用して、また別の実施形態を提供することができる。
【００８２】
上述の詳細な説明を参照して、実施形態にこれら及びその他の変化を加えることができる。一般に、以下の特許請求の範囲において、使用される用語は特許請求の範囲を明細書と特許請求の範囲において開示されている具体的な実施形態に限定すると解釈すべきではなく、このような特許請求の範囲が受けることのできるすべての均等物の全範囲と共にすべての可能な実施形態を含むと解釈すべきである。したがって、特許請求の範囲は開示によって限定されない。
【図１】
2018528475.tif 000003
【図２】
2018528475.tif 000004
【図３】
2018528475.tif 000005
【図４】
2018528475.tif 000006
【図５】
2018528475.tif 000007
【図６】
2018528475.tif 000008
【図７】
2018528475.tif 000009
【図８】
2018528475.tif 000010
【図９】
2018528475.tif 000011
【国際調査報告】
2018528475.tif 000012
2018528475.tif 000013